(57)【要約】【課題】  走査維持同時駆動方式によりプラズマ表示装置の表示輝度を高くすると共に、電源回路の規模を低減する。【解決手段】維持放電を発生させる維持電極対の他に走査電極が別に設けられ、走査パルスａを維持パルスｆと同一のタイミングで印加する走査維持同時駆動が各サブフィールド毎に行われ、かつ、走査パルスａが走査電極に印加されるとき、同走査電極上にある誘電体層上に形成されている壁電荷により発生する壁電圧が、維持電極対上にある同誘電体層上に形成されている壁電荷により発生する壁電圧よりも負電圧方向に大きく設定されるので、表示輝度レベルが向上すると共に、電源回路の規模が大きくなることが回避され、かつ広い駆動マージンが得られる。【選択図】図６
2005352052.tif 000002
【特許請求の範囲】
【請求項１】
プラズマディスプレイパネルと、
該プラズマディスプレイパネルを、表示画面の１フィールドを階調レベルに基づいて重み付けされた複数のサブフィールドに分割して駆動する駆動手段とを備えてなるプラズマ表示装置であって、
前記プラズマディスプレイパネルは、
互いに対向して配置された第１の基板及び第２の基板と、
前記第１の基板の前記第２の基板に対向する面に第１の放電ギャップを隔てて互いに平行に配置された第１の維持電極及び第２の維持電極からなり、維持パルスが印加されて維持放電が発生する複数の維持電極対と、
前記第１の基板の前記第２の基板に対向する面に前記維持電極対に第２の放電ギャップを隔てて平行に配置され、映像信号に応じて書込み放電を行うための走査パルスが順次印加される複数の走査電極と、
前記第２の基板の前記第１の基板に対向する面に前記各維持電極対と交わる態様に設けられた複数のデータ電極と、
前記複数の維持電極対と前記複数のデータ電極との各交差領域に形成された複数の単位セルと、
前記複数の維持電極対及び走査電極を覆う第１の誘電体層と、
前記複数のデータ電極を覆う第２の誘電体層とを備え、
前記駆動手段は、
前記走査パルスを前記維持パルスと同一のタイミングで印加する走査維持同時駆動を前記各サブフィールド毎に行い、かつ、前記走査パルスを前記走査電極に印加するとき、前記走査電極上にある前記第１の誘電体層上に形成されている壁電荷により発生する壁電圧を、前記維持電極対上にある前記第１の誘電体層上に形成されている壁電荷により発生する壁電圧よりも負電圧方向に大きく設定する構成とされていることを特徴とするプラズマ表示装置。
【請求項２】
前記各サブフィールドは、
当該サブフィールドの重み付けと、該サブフィールドよりも重み付けの小さい隣接するサブフィールドの重み付けとの比がほぼ２：１に設定されていることを特徴とする請求項１記載のプラズマ表示装置。
【請求項３】
前記駆動手段は、
前記維持放電が発生した後に前記壁電荷を初期化するための負極性の消去パルスを前記走査電極に印加し、該消去パルスの終了時の立上がりのタイミングで消去放電を発生させ、該消去放電の発生時の前記走査電極の電位を前記維持電極対の電位よりも高く設定する構成とされていることを特徴とする請求項１又は２記載のプラズマ表示装置。
【請求項４】
前記駆動手段は、
前記消去放電の発生時の前記第１及び第２の維持電極の電位を同一に設定する構成とされていることを特徴とする請求項３記載のプラズマ表示装置。
【請求項５】
前記駆動手段は、
前記消去放電を、前記走査電極と前記維持電極対のうちの該走査電極に近い側の維持電極との間で発生させる構成とされていることを特徴とする請求項３又は４記載のプラズマ表示装置。
【請求項６】
前記駆動手段は、
前記消去パルスの印加と同一のタイミングで前記データ電極に消去データパルスを印加することにより、前記走査電極と前記データ電極との間で対向の予備消去放電を発生させる構成とされていることを特徴とする請求項３、４又は５記載のプラズマ表示装置。
【請求項７】
前記駆動手段は、
前記維持電極対のうちの前記走査電極に近い側の維持電極に正極性の前記維持パルスを印加しているときに、前記走査電極と該走査電極に近い側の前記維持電極との電位が異なるように前記消去パルスを印加する構成とされていることを特徴とする請求項３、４、５又は６記載のプラズマ表示装置。
【請求項８】
前記駆動手段は、
前記維持電極対のうちの前記走査電極に近い側の維持電極に正極性の前記維持パルスを印加しているときに、前記走査電極と該走査電極に近い側の前記維持電極との電位が異なるように前記走査パルスを印加する構成とされていることを特徴とする請求項１乃至７のうちのいずれか一に記載のプラズマ表示装置。
【請求項９】
前記駆動手段は、
前記走査パルスを印加している間に、前記維持電極対のうちの前記維持パルスが印加される維持電極を交替させ、前記維持電極対で維持放電が発生した後に前記走査パルスを終了させる構成とされていることを特徴とする請求項１乃至８のうちのいずれか一に記載のプラズマ表示装置。
【請求項１０】
前記駆動手段は、
前記走査パルスを印加して書込み放電が発生した場合、前記維持電極対のうちの最初に交替した維持電極に前記維持パルスが印加されている間に前記走査パルスを終了させる構成とされていることを特徴とする請求項９記載のプラズマ表示装置。
【請求項１１】
前記駆動手段は、
前記走査パルスを印加したときの前記走査電極の電位と、前記維持パルスを印加していないときの前記維持電極対の電位とを等しくする構成とされていることを特徴とする請求項１乃至１０のうちのいずれか一に記載のプラズマ表示装置。
【請求項１２】
前記駆動手段は、
前記維持電極対に維持パルスのみを印加する構成とされていることを特徴とする請求項１乃至１１のうちのいずれか一に記載のプラズマ表示装置。
【請求項１３】
前記駆動手段は、
前記消去データパルスを、その直前の前記走査パルスで書込み放電が行われ、かつ維持放電が発生した場合にのみ印加する構成とされていることを特徴とする請求項６乃至１２のうちのいずれか一に記載のプラズマ表示装置。
【請求項１４】
前記駆動手段は、
前記消去データパルスを、表示映像に無関係に所定のタイミングで印加する構成とされていることを特徴とする請求項６乃至１２のうちのいずれか一に記載のプラズマ表示装置。
【請求項１５】
前記駆動手段は、
表示映像に無関係に所定のタイミングでランプ波形を前記走査電極に印加する構成とされていることを特徴とする請求項６乃至１２のうちのいずれか一に記載のプラズマ表示装置。
【請求項１６】
前記駆動手段は、
前記走査パルスに同期して前記データ電極に印加される映像信号に対応したデータパルスの電圧と、前記消去データパルスの電圧とを同一に設定する構成とされていることを特徴とする請求項６乃至１５のうちのいずれか一に記載のプラズマ表示装置。
【請求項１７】
前記プラズマディスプレイパネルは、
前記各走査電極及び前記各第２の放電ギャップのパネル表示画面側に遮光層が設けられていることを特徴とする請求項１乃至１６のうちのいずれか一に記載のプラズマ表示装置。
【請求項１８】
前記プラズマディスプレイパネルは、
前記各維持電極対と前記各データ電極とが前記第１及び第２の誘電体層を挟んで対向しない構成とされていることを特徴とする請求項１乃至１６のうちのいずれか一に記載のプラズマ表示装置。
【請求項１９】
プラズマディスプレイパネルと、
該プラズマディスプレイパネルを、表示画面の１フィールドを階調レベルに基づいて重み付けされた複数のサブフィールドに分割して駆動する駆動手段とを備え、
前記プラズマディスプレイパネルは、
互いに対向して配置された第１の基板及び第２の基板と、
前記第１の基板の前記第２の基板に対向する面に第１の放電ギャップを隔てて互いに平行に配置された第１の維持電極及び第２の維持電極からなり、維持パルスが印加されて維持放電が発生する複数の維持電極対と、
前記第１の基板の前記第２の基板に対向する面に前記維持電極対に第２の放電ギャップを隔てて平行に配置され、映像信号に応じて書込み放電を行うための走査パルスが順次印加される複数の走査電極と、
前記第２の基板の前記第１の基板に対向する面に前記各維持電極対と交わる態様に設けられた複数のデータ電極と、
前記複数の維持電極対と前記複数のデータ電極との各交差領域に形成された複数の単位セルと、
前記複数の維持電極対及び走査電極を覆う第１の誘電体層と、
前記複数のデータ電極を覆う第２の誘電体層とを備えてなるプラズマ表示装置に用いられ、
前記駆動手段が、前記走査パルスを前記維持パルスと同一のタイミングで印加する走査維持同時駆動を前記各サブフィールド毎に行い、かつ、前記走査パルスを前記走査電極に印加するとき、前記走査電極上にある前記第１の誘電体層上に形成されている壁電荷により発生する壁電圧を、前記維持電極対上にある前記第１の誘電体層上に形成されている壁電荷により発生する壁電圧よりも負電圧方向に大きく設定することを特徴とする駆動方法。
【発明の詳細な説明】
【技術分野】
【０００１】
この発明は、プラズマ表示装置及びプラズマ表示装置に用いられる駆動方法に係り、特に、表示画面の１フィールドを階調レベルに基づいて重み付けされた複数のサブフィールドに分割して駆動されるプラズマディスプレイパネルに対し、表示輝度のレベルを改善する場合に用いて好適なプラズマ表示装置及びプラズマ表示装置に用いられる駆動方法に関する。
【背景技術】
【０００２】
プラズマディスプレイパネル（Prasma Display Panel、以下、「ＰＤＰ」という）を主要部として含むプラズマ表示装置は、薄型で大画面表示が比較的容易にできること、視野角が広いこと、応答速度が速いことなど、数多くの特長を有している。このため、近年、フラットパネルディスプレイとして、壁掛けテレビや公共の表示装置などに広く利用されるようになっている。
【０００３】
このプラズマ表示装置は、動作方式により、いくつかの種類に分類されるが、現在、一般に製品化されているＰＤＰは、表示データがセルに書き込まれる走査期間と、実際に放電して表示が行われる維持期間とが完全に分離された走査維持分離駆動方式が用いられている。この走査維持分離方式では、走査期間で全表示データが書き込まれた後、維持期間で一斉に全セルに維持パルスが印加されて画面表示が行われるめ、内部回路が比較的単純化されることや、表示データをセルに書き込むための書込み放電と表示をさせるための維持放電とが同じ時間にパネル内で混在しないため、駆動マージンも確保しやすい。これらの長所により、現状のプラズマ表示装置では、走査維持分離駆動方式が採用されている。
【０００４】
この種のプラズマ表示装置は、従来では、たとえば図１４に示すように、表示パネル１中の図示しない前面基板の内面に行方向Ｈに互いに平行に配置されたｍ本の走査電極２（Ｓｃａｎｉ、ｉ＝１，２，…，ｍ）と維持電極３（Ｓｕｓｉ、ｉ＝１，２，…，ｍ）とからなる面放電電極群、及び図示しない背面基板の内面に、同面放電電極群と直交するように列方向Ｖに沿って配置されたｎ本のデータ電極４（Ｄｊ、ｊ＝１，２，…，ｎ）が配置されている。そして、面放電電極群とデータ電極４との交差領域にそれぞれ１つの単位セル５（以下、単に「セル」ともいう）が形成され、行方向Ｈ及び列方向Ｖにマトリクス状にセル群が配置されている。モノクロ表示の場合は１つのセルにより１つの画素が構成され、カラー表示の場合は３つのセル（赤色Ｒ、緑色Ｇ及び青色Ｂの発光セル）により１つの画素が構成される。
【０００５】
図１５は、図１４中の単位セル５のＡ−Ａ線断面図である。
この単位セル５では、前面基板１１と背面基板１２とが所定の間隔をもって対向して配置されている。前面基板１１はガラス基板などで構成され、同前面基板１１上に走査電極２及び維持電極３が放電ギャップ１３を隔てて配置されている。これらの電極上には、透明誘電体層１４が形成され、同透明誘電体層１４上に保護層１５が形成されている。保護層１５は、ＭｇＯなどで構成され、透明誘電体層１４を放電から保護する。一方、背面基板１２はガラス基板などで構成され、同背面基板１２上にデータ電極４が走査電極２及び維持電極３と直交するように設けられている。さらに、データ電極４上には白色誘電体層１６が設けられ、同白色誘電体層１６上に蛍光体層１７が設けられている。前面基板１１と背面基板１２との間には、各セルを囲うように井桁状の隔壁１８が形成されている。隔壁１８は、放電空間１９を確保すると共に画素を区切る役割を果たす。放電空間１９内には、Ｈｅ、Ｎｅ、Ｘｅなどの混合ガスが放電ガスとして封入されている。
【０００６】
図１６は、図１４のＰＤＰに用いられる走査維持分離駆動方式による階調表示方法の原理を説明する図であり、横軸に時間、縦軸に同ＰＤＰ内の走査電極の番号がとられている。
このＰＤＰでは、同図１６に示すように、１フィールドＴＦが階調レベルに基づいて重み付けされた６つのサブフィールド１ＳＦ，２ＳＦ，…，６ＳＦに分割され、同各サブフィールドが、それぞれ、初期化期間（「予備放電期間」ともいう）Ｔ１、走査期間Ｔ２、及び維持期間Ｔ３に分割されている。各走査期間Ｔ２内の斜線は、各走査電極２に線順次に印加される走査パルスのタイミングを表す。この走査パルスとデータ電極４に印加されるデータパルスとの両者が同時に加わると、書込み放電が発生する。維持期間Ｔ３は、単位セル５が表示発光する期間である。
【０００７】
維持期間Ｔ３では、走査電極２及び維持電極３に交互に維持パルスが印加され、走査期間Ｔ２に放電が発生したセルは、同放電維持期間Ｔ３の長さ（すなわち、維持パルスの数）に応じた強度で発光する。図１６では、サブフィールド１ＳＦ，２ＳＦ，…，６ＳＦの各維持期間Ｔ３の長さは、１：２：４：８：１６：３２の比に設定されているため、これらの維持期間Ｔ３における発光を組み合わせることにより、６４段階（０〜６３）の階調の画面が表示される。たとえば、２９階調の画面が表示される場合、１フィールドＴＦの期間において、サブフィールド１ＳＦ（階調；１）、サブフィールド３ＳＦ（階調；４）、サブフィールド４ＳＦ（階調；８）、及びサブフィールド５ＳＦ（階調；１６）が発光するように制御される。
【０００８】
図１７は、従来の走査維持分離駆動方式に用いられる駆動波形の要部を示す図、及び図１８が、単位セル５内の各電極上の壁電圧の配置を示す模式図である。
これらの図を参照して、走査維持分離駆動方式による駆動方法を説明する。
維持電極３には、図１７に示すように、波形Ｓｕｓに示す電圧が印加され、走査電極２には、波形Ｓｃａｎ１に示す電圧、及び波形Ｓｃａｎ２に示す電圧が印加される。同図１７では，走査電極２の２ライン分が表示されているが、３ライン目以降も、走査パルスａが順次ずれていく態様で駆動波形が構成されている。また、データ電極４には、波形Ｄａｔａに示す電圧が印加される。また、図１８では、各電極上の壁電圧の大きさが模式的に表示されている。すなわち、各電極の下側にある白色の四角形は負壁電圧を示し、上側にある灰色の四角形は正壁電圧を示し、それぞれの高さが壁電圧の値を示している。壁電圧とは、放電によって電極上の誘電体層の表面に形成された壁電荷により、同誘電体層に発生する電圧である。
【０００９】
図１７中の初期化期間Ｔ１の前には、前サブフィールドの維持期間が存在し、そこで維持放電が行われたか否かにより、単位セル５内の各電極上の誘電体層（透明誘電体層１４、白色誘電体層１６）の上に放電によって蓄積される電荷である壁電荷の形成量が異なる。この場合、図１８（１）に示すように、前サブフィールドの維持期間に維持放電が行われたままの状態で次の書込みが行われると、この異なる壁電荷量の影響により、書込み放電が行われにくくなったり、誤って行われることがある。このため、図１７に示すように、初期化期間Ｔ１では、走査電極２に維持消去波形ｂが印加され、前サブフィールドの維持期間に発生した壁電荷が初期化（リセット）される。
【００１０】
この場合、前サブフィールドの維持期間で維持放電が発生したときにのみ、図１８（２）に示すように、走査電極２と維持電極３との間で弱放電が発生する。この弱放電は、図１７中の維持消去波形ｂのように、電圧が徐々に変化するランプ波形の印加によって弱い放電が持続的に発生するため、放電による電極上の壁電荷の変化は小さいものであり、矩形波が印加されて一気に強い放電が発生して電極上の壁電荷の極性が一気に反転するような放電とは異なっている。これにより、前サブフィールドの維持期間の最後に図１８（２）に示すような壁電荷配置であったのに対し、図１８（３）に示す壁電荷配置となる。
【００１１】
また、初期化期間Ｔ１では、同初期化期間Ｔ１の後の走査期間Ｔ２において表示データに基づいて線順次にデータが書込まれる際に放電が行われやすくするためのプライミング効果が発生すると共に、壁電荷の状態が書込み放電に最適な状態とされる。この場合、プライミング波形ｃ及びプライミング消去波形ｄが走査電極２に印加される。このプライミング波形ｃにより、前サブフィールドの維持放電の発生如何に関わらず弱放電が発生し、プライミング粒子が放電空間１９内に発生することにより書込み放電が発生しやすい状態となる。また、プライミング波形ｃにより、走査電極２の電位がデータ電極４の電位に対して正極性方向に徐々に増加し、同走査電極２には負壁電荷、及びデータ電極４には正壁電荷がそれぞれ増加して、図１８（４）に示す壁電荷配置となる。このとき、プライミング粒子の発生及び壁電荷の増加により、書込み放電が発生しやすい状態となるが、特に、あるセルで非点灯表示が長く続いた場合には、同プライミング粒子及び壁電荷が減少する状態にあるので、この状態に対してプライミング粒子及び壁電荷が補われる。
【００１２】
一方、図１８（４）に示す壁電荷配置は、適正な駆動ができるようにプライミング消去波形ｄにより調整され、図１８（５）に示すような壁電荷配置となる。また、プライミング消去波形ｄにより、走査電極２と維持電極３との間、及び走査電極２とデータ電極４との間で弱放電が発生する。そして、プライミング消去波形ｄにより、データ電極４の電位は接地電位（ＧＮＤ）に固定され、走査電極２の電位の最終到達電位が走査パルスａの電位とほぼ等しくなる。また、上記弱放電の最終状態では、２つの電極がその電位において、放電がぎりぎりで発生しなくなるように壁電荷が放電によって変化している。したがって、プライミング消去波形ｄにより、走査電極２とデータ電極４との間の壁電荷量は、走査パルスａが印加された際にデータパルスｅが印加されなければ放電が発生しない状態になっている。
【００１３】
一方、壁電荷の状態としては、データ電極４に正のパルスが少しでも印加されれば放電が発生し、データパルスｅが低い電圧でも書込み放電が発生するようになっている。ところが、実際には、電圧が印加されてから放電が発生するまでには時間がかかるため、走査パルスａのような短いパルスの間に放電が発生するために、データパルスｅは、この放電が発生するレベルの電圧に設定されている。このように、初期化期間Ｔ１では、壁電荷の初期化と書込み放電に対して、単位セル５内の最適な状態が設定される。
【００１４】
走査期間Ｔ２では、映像信号に対応して、走査電極２毎に順次、書込み放電の発生の有無により壁電荷の状態を変化させて単位セル５に映像情報が書き込まれる。
すなわち、走査期間Ｔ２では、走査電極２のＳｃａｎ１，Ｓｃａｎ２，…，Ｓｃａｎｍに走査パルスａが順次印加される。この走査パルスａに対応して、データ電極４のＤ１，Ｄ２，…，Ｄｎに表示パターンに応じてデータパルスｅが印加される。なお、図１７中のデータパルスｅの斜線は、映像信号によって、データパルスｅが印加されたり、されなかったりすることを示す。
【００１５】
書込み放電は、次のように行われる。すなわち、データパルスｅが印加されている場合、走査電極２とデータ電極４との電位差はＶｄとなる。このとき、初期化期間Ｔ１において、上述のように、走査電極２及びデータ電極４上には、それぞれ負壁電荷及び正壁電荷が形成され、走査電極２とデータ電極４との間の放電空間には、これらの壁電荷による誘電体層に掛かる電圧である壁電圧が電極間電位差に重畳されるため、高い電圧が印加される。このため、走査電極２とデータ電極４との間で書込み放電が発生する。このとき、走査電極２と維持電極３との間にも大きな電位差があるため、走査電極２とデータ電極４との間で書込み放電が発生すると、図１８（６）に示すように、走査電極２と維持電極３との間で面放電が誘発され、図１８（７）に示すように、走査電極２には正壁電荷、及び維持電極３には負壁電荷が蓄積される。一方、データパルスｅが印加されない画素では、走査電極２とデータ電極４との間の放電空間に印加される電位差は放電開始電圧を超えないため、放電が発生せず、壁電荷の状況は変化しない。このように、データパルスｅの有無により、２種類の壁電荷の状況が発生する。
【００１６】
走査パルスａが全走査電極２に印加された後、維持期間Ｔ３に移る。維持期間Ｔ３では、維持パルスｆは、全走査電極２と全維持電極３とに交互に印加される。維持パルスｆの電圧値Ｖｓは、書込み放電が発生しなかった画素では、走査電極２と維持電極３との間の放電ギャップ１３の近傍の壁電圧がほぼ等しいように調整され、走査電極２と維持電極３との間の放電空間には２つの電極間電位差であるＶｓしか印加されず、２つの電極間では面放電が開始しない。一方、書込み放電が発生した画素では、走査電極２側には正壁電荷があり、維持電極３側には負壁電荷が存在するため、走査電極２に印加される始めの正の維持パルス（第一維持パルス）に、この正負の壁電荷が重畳され、放電開始電圧以上の電圧が放電空間に印加され、維持放電が発生する。この放電により、走査電極２側には負の壁電荷が蓄積され、維持電極３側には正の壁電荷が蓄積される。次の維持パルス（第二維持パルス）は維持電極３側に印加され、上記の壁電荷が重畳されることから維持放電がここでも発生し、第一維持パルスとは逆の極性の壁電荷が走査電極２側と維持電極３側に蓄積される。
【００１７】
これ以降も、同様の原理で放電が持続的に発生する。つまり、ｘ回目の維持放電により発生した壁電荷による電位差が、（ｘ＋１）回目の維持パルスに重畳され、維持放電が持続している。この維持放電の持続回数により、発光輝度が決定される。
【００１８】
一方、走査維持分離方式では、以下のような問題点もある。
すなわち、走査維持分離方式では、維持期間Ｔ３でのみ表示のための発光放電が行われるが、１つの画面を表示する１フィールドは、一般に１６．６ｍ秒（１／６０秒）に固定されているため、高精細のディスプレイなどの走査線数が多いものでは走査期間Ｔ２が長くなり、これに対応して維持期間Ｔ３が短くなる。維持期間Ｔ３が短くなれば、発光放電の回数が少なくなり、表示輝度が低下する。
【００１９】
このような問題点を改善する駆動方式として、走査維持同時駆動方式がある。
走査維持同時駆動方式では、上記図１４及び図１５に示すような走査維持分離駆動方式と同じ構造のＰＤＰが用いられるが、走査パルスが維持パルスと同じタイミングで印加され、図１９に示すように、１フィールドＴＦが、たとえば６つのサブフィールド１ＳＦ，２ＳＦ，…，６ＳＦに分割され、１サブフィールドは、初期化、走査、及び維持の３種類のパルスから構成され、走査電極毎に順次サブフィールドがずれていく形でパルスが印加される。
【００２０】
図２０は、走査維持同時駆動方式に用いられる駆動波形の要部を示す図である。
維持電極３には、同図２０に示すように、波形Ｓｕｓに示す電圧が印加され、走査電極２には、波形Ｓｃａｎ１に示す電圧、及び波形Ｓｃａｎ２に示す電圧が印加される。同図２０では，走査電極２の２ライン分が表示されているが、３ライン目以降も、走査パルスａが順次ずれていく態様で駆動波形が構成されている。また、データ電極４には、波形Ｄａｔａに示す電圧が印加される。
【００２１】
図２１は、走査維持同時駆動方式による各電極上の壁電圧の大きさを示す模式図である。
この図と図２０とを参照して、走査維持同時駆動方式による駆動方法を説明する。
同図２１では、図２０中のＳｃａｎ１波形が印加されたセルの各タイミング（１）乃至（６）における壁電圧が示されている。
図２０に示すように、初期化パルスｇの直前の負極性のパルスが前サブフィールドの最終の維持パルスｆであり、タイミング（１）で最終の維持パルスｆが印加される。前サブフィールドで維持放電が発生している場合には、タイミング（１）でも走査電極２と維持電極３との間で維持放電が発生し、壁電圧配置が図２１（１）に示す状態から図２１（２）に示す状態に変化する。
【００２２】
次に、初期化パルスｇが印加される。初期化パルスｇ前の単位セル５内の壁電荷の状態は、前サブフィールドで維持放電が発生したか否かによって異なる。すなわち、前サブフィールドで維持放電が発生したままの状態で次の書込みが行われると、この異なる壁電荷量の影響により、書込み放電が行われにくくなったり、誤って書込みが行われることがある。初期化パルスｇの役割は、このような前サブフィールドの維持放電の有無によって異なる単位セル５内の誘電体層上の壁電荷の状態を初期化することである。タイミング（２）では、走査電極２に初期化パルスｇが印加されると同時に維持電極３には維持パルスｆが印加される。これにより、それまでの維持パルスｆが印加されていた状態よりも大きな電圧が走査電極２と維持電極３との間に印加され、両電極間で面放電が発生し、図２１（３）に示すように、走査電極２及び維持電極３に、通常の維持放電時よりも大きな壁電圧が両電極合わせて形成される。
【００２３】
この後、通常の維持パルスｆのみが印加された場合、パルス終了の立上がり時には放電は発生しないが、初期化パルスｇが印加されたことにより、大きな壁電圧が形成されているため、維持パルスｆ及び初期化パルスｇの終了時点で走査電極２及び維持電極３が共にグラウンド（ＧＮＤ）電位になったとき、壁電圧により放電空間１９に放電開始電圧以上の電圧が印加され、面放電が再び発生する。このとき、データ電極４も含め、全ての電極がＧＮＤ電位になっているので、放電終了後では、図２１（４）に示すように、壁電圧が殆どない状態となる。この状態で初期化が終了する。
【００２４】
次に、走査パルスａが走査電極２に印加され、書込みが行われる。この書込みでは、映像信号に対応して、走査電極２毎に順次、書込み放電の発生の有無により壁電荷の状態を変化させて単位セル５に映像情報が書き込まれる。この場合、図２０中のタイミング（４）で、走査パルスａと同期してデータ電極４にデータパルスｅが映像信号に対応して印加される。なお、データパルスｅ中の斜線は、映像信号によって、データパルスｅが印加されたり、されなかったりすることを示す。データパルスｅが印加されると、放電開始電圧を越える高い電圧が走査電極２とデータ電極４との間に印加され、図２１（４）に示すように、両電極間で対向放電が発生する。このとき、走査電極２と維持電極３との間にも大きな電位差があるため、書込み放電が走査電極２とデータ電極４との間で発生すると、走査電極２と維持電極３との間で面放電が誘発され、図２１（５）に示すように、走査電極２に正壁電荷、及び維持電極３に負壁電荷が蓄積される。
【００２５】
一方、データパルスｅが印加されないセルでは、走査電極２とデータ電極４との間の放電空間に印加される電位差は、放電開始電圧を超えないため、放電が発生せず、壁電荷の状況は変化しない。このように、データパルスｅの有無により、２種類の壁電荷の状況を作り出すことができる。このとき、走査パルスａは、他の走査電極に維持パルスｆが印加されているのと同タイミングで印加されている。たとえば、図２０中のタイミング（６）で、波形Ｓｃａｎ１に示す維持パルスｆが印加され、また、波形Ｓｃａｎ２に示す走査パルスａが印加されている。書込みは１走査電極毎に行わなければならないので、このように、同じタイミングで走査パルスａと維持パルスｆとが印加されていても、走査パルスａ印加されている走査電極のみで書込み放電が発生するようにしなければならない。このため、走査パルスａの電圧Ｖｗは、維持電圧Ｖｓよりも負極性の大きな値に設定されている。電圧を大きくすることにより、走査パルスａが印加される走査電極でのみ書込み放電が発生する。ただし、データパルスｅが印加されない場合は、放電が発生しないようにしなければならないので、走査パルスａの電圧Ｖｗは、走査電極２と維持電極３との間の放電開始電圧を越える設定にすることはできない。
【００２６】
走査パルスａは、維持パルスｆよりもパルス幅が広く、次の維持パルスｆが維持電極３に印加されるタイミング（５）で終了する。タイミング（５）では、走査パルスａが立ち上がると同時にデータパルスｅも終了し、書込み放電が発生した場合は、同書込み放電によって形成された壁電圧により、走査電極２とデータ電極４との間で対向放電が発生する。これとは別に、維持電極３には維持パルスｆが印加されるため、走査電極２と維持電極３との間でも放電が発生する。これにより、壁電圧配置は、図２１（５）に示す状態から図２１（６）に示す状態へ変化する。これ以降は、維持パルスｆが印加されるたびに面放電が発生し、図２１（５）及び図２１（６）に示す壁電圧配置の状態が交互に繰り返される。
【００２７】
一方、データパルスｅが印加されず、書込み放電が発生しなかった場合は、壁電圧は図２１（４）に示す状態のままであり、以降、維持パルスｆが印加されても、放電は発生しない。以上のようにして、データパルスｅの印加及び無印加により、維持放電の発生の有無を切り替えることができる。このような走査維持同時駆動方式では、走査パルスａを維持パルスｆと時間的に重ねることができるので、他の走査電極に走査パルスａが印加されている期間を維持放電の発生期間に当てることができる。このため、当該走査電極の初期化パルスｇと走査パルスａ以外は全て維持パルスｆの印加期間に当てることができ、また、１フィールドの大部分を維持期間にあてることができるので、維持パルス数を増加させることにより、表示輝度レベルが向上する。
【００２８】
図２２は、他の走査維持同時駆動方式に用いられる駆動波形の要部を示す図である。
この走査維持同時駆動方式による駆動方法では、同図２２に示すように、維持パルスｆが正極性になっている。また、初期化パルスｈ，ｊが走査電極２に順次印加される。この初期化パルスｈは、維持パルスの電圧Ｖｓよりも大きい。また、走査パルスａが印加された場合、他の走査電極はＧＮＤ電位になっている場合があり、同走査パルスａが印加された走査電極だけで書込み放電を発生させるには、このＧＮＤ電位よりも電位を低くする必要がある。ただし、上記図２０の駆動波形の場合と同様に、走査パルスａが入っただけで走査電極２と維持電極３との間で面放電が発生してはならないため、維持パルスｆの電圧Ｖｓ＋走査パルスａの電圧Ｖｗは、放電開始電圧を超える設定にすることはできない。また、図２２中の各タイミング（１）乃至（６）における壁電圧の状態は、図２３（１）乃至（６）に示すようになる。
【００２９】
また、上記の駆動方式の他、走査維持混合駆動方式があり、この種の技術としては、たとえば、次のような文献に記載されるものがあった。
特許文献１に記載されたガス放電パネルの駆動方法では、ある維持パルスと他の維持パルスとの間に、時間的に重ならないように走査パルスが印加される。この場合、同じタイミングで走査パルスと維持パルスとが印加されないため、走査パルスが印加された走査電極のみで書込み放電が発生する。
【００３０】
また、特許文献２に記載された表示装置でも、特許文献１とほぼ同様の駆動方法がとられている。
【特許文献１】特開２０００−１２２６０３号公報（要約書、図４）
【特許文献２】特開２０００−１１２４３０号公報（要約書、図３）
【発明の開示】
【発明が解決しようとする課題】
【００３１】
しかしながら、上記従来のプラズマ表示装置では、次のような問題点があった。
すなわち、走査維持同時駆動方式では、１フィールド期間のうちの大部分の時間を維持放電にあてることができ、高い表示輝度が得られるが、他の走査電極に維持パルスｆが印加されているタイミングで走査パルスａが印加されるため、走査パルスａが印加されている走査電極のみで書込み放電が発生するようにするためには、維持パルスｆよりも大きな電圧を印加しなければならない。つまり、維持パルスｆの電圧Ｖｓの他に走査パルスの電圧Ｖｗを設定する必要がある。このため、走査維持分離駆動方式の場合よりも多くの電圧を設定する必要があり、電源回路の規模が大きくなると共に、図示しない走査電極駆動回路などの規模も大きくなるという問題点がある。また、上記図２０では、走査パルスの電圧Ｖｗは、維持パルスの電圧Ｖｓよりも大きな負電圧であり、データパルスｅが印加されないときには放電が発生しない電圧に設定しなければならない。さらに、維持パルスの電圧Ｖｓは、電位が反転するたびに維持放電が継続するように、ある程度大きな電圧でなければならない。このように、走査パルスの電圧Ｖｗの範囲は、かなり狭く限定され、駆動マージンを広く取ることができないという問題点がある。
【００３２】
また、図２２に示すような場合でも、走査パルスａのレベルは、ＧＮＤレベルからの電位差（Ｖｗ）が図２０中の走査パルス電圧Ｖｗに比べて小さいが、初期化パルスｈは維持パルスの電圧Ｖｓよりも大きな正電圧となる。初期化パルスｈも、走査パルスａと同様に、走査電極毎に線順次で印加されるため、走査電極駆動回路から出力する必要があり、同走査電極駆動回路は、初期化パルスｈの電圧に対応した耐圧が必要となる。また、図２０又は図２２のいずれの場合も、走査パルスａが印加されたときにデータパルスｅが印加されて初めて放電が発生するようにしなければならず、走査パルスａが印加されただけでは走査電極２と維持電極３との間で面放電が発生しないようにしなければならない。このため、走査パルスａが印加された際に、走査電極２と維持電極３との電位差が面の放電開始電圧を超えないようにしなければならない。
【００３３】
一方、走査パルスａが印加された走査電極だけで書込みを行うためには、走査パルスａの電位を他の走査電極の電位よりも低くしなければならず、結果的に走査電極２と維持電極３との間に維持パルスの電圧以上の電圧を印加しなければならない。維持パルスの電圧は、維持放電を継続させるためにある程度大きな電圧が必要である。このように、走査パルスａの電圧設定は、ある限られた範囲でしか設定できず、このことが駆動マージンが狭くなる原因となっている。
【００３４】
また、特許文献１又は特許文献２に記載された走査維持混合駆動方式では、維持パルスと走査パルスとが時間的に重なっていないため、１フィールド中の維持パルスの数は走査維持分離駆動方式の場合と同数となり、上述の走査維持同時駆動方式のように輝度レベルを向上させることが困難である。
【課題を解決するための手段】
【００３５】
上記課題を解決するために、請求項１記載の発明は、プラズマディスプレイパネルと、該プラズマディスプレイパネルを、表示画面の１フィールドを階調レベルに基づいて重み付けされた複数のサブフィールドに分割して駆動する駆動手段とを備えてなるプラズマ表示装置に係り、前記プラズマディスプレイパネルは、互いに対向して配置された第１の基板及び第２の基板と、前記第１の基板の前記第２の基板に対向する面に第１の放電ギャップを隔てて互いに平行に配置された第１の維持電極及び第２の維持電極からなり、維持パルスが印加されて維持放電が発生する複数の維持電極対と、前記第１の基板の前記第２の基板に対向する面に前記維持電極対に第２の放電ギャップを隔てて平行に配置され、映像信号に応じて書込み放電を行うための走査パルスが順次印加される複数の走査電極と、前記第２の基板の前記第１の基板に対向する面に前記各維持電極対と交わる態様に設けられた複数のデータ電極と、前記複数の維持電極対と前記複数のデータ電極との各交差領域に形成された複数の単位セルと、前記複数の維持電極対及び走査電極を覆う第１の誘電体層と、前記複数のデータ電極を覆う第２の誘電体層とを備え、前記駆動手段は、前記走査パルスを前記維持パルスと同一のタイミングで印加する走査維持同時駆動を前記各サブフィールド毎に行い、かつ、前記走査パルスを前記走査電極に印加するとき、前記走査電極上にある前記第１の誘電体層上に形成されている壁電荷により発生する壁電圧を、前記維持電極対上にある前記第１の誘電体層上に形成されている壁電荷により発生する壁電圧よりも負電圧方向に大きく設定する構成とされていることを特徴としている。
【００３６】
請求項２記載の発明は、請求項１記載のプラズマ表示装置に係り、前記各サブフィールドは、当該サブフィールドの重み付けと、該サブフィールドよりも重み付けの小さい隣接するサブフィールドの重み付けとの比がほぼ２：１に設定されていることを特徴としている。
【００３７】
請求項３記載の発明は、請求項１又は２記載のプラズマ表示装置に係り、前記駆動手段は、前記維持放電が発生した後に前記壁電荷を初期化するための負極性の消去パルスを前記走査電極に印加し、該消去パルスの終了時の立上がりのタイミングで消去放電を発生させ、該消去放電の発生時の前記走査電極の電位を前記維持電極対の電位よりも高く設定する構成とされていることを特徴としている。
【００３８】
請求項４記載の発明は、請求項３記載のプラズマ表示装置に係り、前記駆動手段は、前記消去放電の発生時の前記第１及び第２の維持電極の電位を同一に設定する構成とされていることを特徴としている。
【００３９】
請求項５記載の発明は、請求項３又は４記載のプラズマ表示装置に係り、前記駆動手段は、前記消去放電を、前記走査電極と前記維持電極対のうちの該走査電極に近い側の維持電極との間で発生させる構成とされていることを特徴としている。
【００４０】
請求項６記載の発明は、請求項３、４又は５記載のプラズマ表示装置に係り、前記駆動手段は、前記消去パルスの印加と同一のタイミングで前記データ電極に消去データパルスを印加することにより、前記走査電極と前記データ電極との間で対向の予備消去放電を発生させる構成とされていることを特徴としている。
【００４１】
請求項７記載の発明は、請求項３、４、５又は６記載のプラズマ表示装置に係り、前記駆動手段は、前記維持電極対のうちの前記走査電極に近い側の維持電極に正極性の前記維持パルスを印加しているときに、前記走査電極と該走査電極に近い側の前記維持電極との電位が異なるように前記消去パルスを印加する構成とされていることを特徴としている。
【００４２】
請求項８記載の発明は、請求項１乃至７のうちのいずれか一に記載のプラズマ表示装置に係り、前記駆動手段は、前記維持電極対のうちの前記走査電極に近い側の維持電極に正極性の前記維持パルスを印加しているときに、前記走査電極と該走査電極に近い側の前記維持電極との電位が異なるように前記走査パルスを印加する構成とされていることを特徴としている。
【００４３】
請求項９記載の発明は、請求項１乃至８のうちのいずれか一に記載のプラズマ表示装置に係り、前記駆動手段は、前記走査パルスを印加している間に、前記維持電極対のうちの前記維持パルスが印加される維持電極を交替させ、前記維持電極対で維持放電が発生した後に前記走査パルスを終了させる構成とされていることを特徴としている。
【００４４】
請求項１０記載の発明は、請求項９記載のプラズマ表示装置に係り、前記駆動手段は、前記走査パルスを印加して書込み放電が発生した場合、前記維持電極対のうちの最初に交替した維持電極に前記維持パルスが印加されている間に前記走査パルスを終了させる構成とされていることを特徴としている。
【００４５】
請求項１１記載の発明は、請求項１乃至１０のうちのいずれか一に記載のプラズマ表示装置に係り、前記駆動手段は、前記走査パルスを印加したときの前記走査電極の電位と、前記維持パルスを印加していないときの前記維持電極対の電位とを等しくする構成とされていることを特徴としている。
【００４６】
請求項１２記載の発明は、請求項１乃至１１のうちのいずれか一に記載のプラズマ表示装置に係り、前記駆動手段は、前記維持電極対に維持パルスのみを印加する構成とされていることを特徴としている。
【００４７】
請求項１３記載の発明は、請求項６乃至１２のうちのいずれか一に記載のプラズマ表示装置に係り、前記駆動手段は、前記消去データパルスを、その直前の前記走査パルスで書込み放電が行われ、かつ維持放電が発生した場合にのみ印加する構成とされていることを特徴としている。
【００４８】
請求項１４記載の発明は、請求項６乃至１２のうちのいずれか一に記載のプラズマ表示装置に係り、前記駆動手段は、前記消去データパルスを、表示映像に無関係に所定のタイミングで印加する構成とされていることを特徴としている。
【００４９】
請求項１５記載の発明は、請求項６乃至１２のうちのいずれか一に記載のプラズマ表示装置に係り、前記駆動手段は、表示映像に無関係に所定のタイミングでランプ波形を前記走査電極に印加する構成とされていることを特徴としている。
【００５０】
請求項１６記載の発明は、請求項６乃至１５のうちのいずれか一に記載のプラズマ表示装置に係り、前記駆動手段は、前記走査パルスに同期して前記データ電極に印加される映像信号に対応したデータパルスの電圧と、前記消去データパルスの電圧とを同一に設定する構成とされていることを特徴としている。
【００５１】
請求項１７記載の発明は、請求項１乃至１６のうちのいずれか一に記載のプラズマ表示装置に係り、前記プラズマディスプレイパネルは、前記各走査電極及び前記各第２の放電ギャップのパネル表示画面側に遮光層が設けられていることを特徴としている。
【００５２】
請求項１８記載の発明は、請求項１乃至１６のうちのいずれか一に記載のプラズマ表示装置に係り、前記プラズマディスプレイパネルは、前記各維持電極対と前記各データ電極とが前記第１及び第２の誘電体層を挟んで対向しない構成とされていることを特徴としている。
【００５３】
請求項１９記載の発明は、駆動方法に係り、プラズマディスプレイパネルと、該プラズマディスプレイパネルを、表示画面の１フィールドを階調レベルに基づいて重み付けされた複数のサブフィールドに分割して駆動する駆動手段とを備え、前記プラズマディスプレイパネルは、互いに対向して配置された第１の基板及び第２の基板と、前記第１の基板の前記第２の基板に対向する面に第１の放電ギャップを隔てて互いに平行に配置された第１の維持電極及び第２の維持電極からなり、維持パルスが印加されて維持放電が発生する複数の維持電極対と、前記第１の基板の前記第２の基板に対向する面に前記維持電極対に第２の放電ギャップを隔てて平行に配置され、映像信号に応じて書込み放電を行うための走査パルスが順次印加される複数の走査電極と、前記第２の基板の前記第１の基板に対向する面に前記各維持電極対と交わる態様に設けられた複数のデータ電極と、前記複数の維持電極対と前記複数のデータ電極との各交差領域に形成された複数の単位セルと、前記複数の維持電極対及び走査電極を覆う第１の誘電体層と、前記複数のデータ電極を覆う第２の誘電体層とを備えてなるプラズマ表示装置に用いられ、前記駆動手段が、前記走査パルスを前記維持パルスと同一のタイミングで印加する走査維持同時駆動を前記各サブフィールド毎に行い、かつ、前記走査パルスを前記走査電極に印加するとき、前記走査電極上にある前記第１の誘電体層上に形成されている壁電荷により発生する壁電圧を、前記維持電極対上にある前記第１の誘電体層上に形成されている壁電荷により発生する壁電圧よりも負電圧方向に大きく設定することを特徴としている。
【発明の効果】
【００５４】
この発明の構成によれば、ＰＤＰにおいて、維持放電を発生させる維持電極対の他に走査電極を別に設け、駆動手段が、前記走査パルスを前記維持パルスと同一のタイミングで印加する走査維持同時駆動を前記各サブフィールド毎に行い、かつ、前記走査パルスを前記走査電極に印加するとき、前記走査電極上にある前記第１の誘電体層上に形成されている壁電荷により発生する壁電圧を、前記維持電極対上にある前記第１の誘電体層上に形成されている壁電荷により発生する壁電圧よりも負電圧方向に大きく設定する構成とされているので、表示輝度レベルを向上させることができると共に、電源回路の規模を大きくする必要がなく、かつ広い駆動マージンが得られる。
【００５５】
また、ＰＤＰは、各維持電極対と各データ電極とが第１及び第２の誘電体層を挟んで対向しない構成とされているので、維持放電の強さや広がり方がデータ電極の電位の変動の影響をほとんど受けないため、発光輝度が変化せず、表示画面内で輝度むらが発生することを回避できる。
【発明を実施するための最良の形態】
【００５６】
ＰＤＰにおいて、維持放電を発生させる維持電極対の他に走査電極を別に設け、書込み及び初期化の動作を同走査電極で行い、壁電荷の状態を、維持電極対と走査電極とで異なるように構成されているプラズマ表示装置を提供する。
【実施例１】
【００５７】
図１は、この発明の第１の実施例であるプラズマ表示装置の電気的構成を示すブロック図である。
この例のプラズマ表示装置は、同図に示すように、表示パネル（ＰＤＰ）２１と、データドライバ３１と、走査ドライバ３２と、維持ドライバ３３と、維持ドライバ３４と、高圧電源回路３５と、Ａ／Ｄ（アナログ／ディジタル）変換回路４１と、画素変換回路４２と、サブフィールド変換回路４３と、コントローラ４４とから構成されている。表示パネル２１は、互いに対向して配置された図示しない前面基板及び背面基板を有している。前面基板の背面基板に対向する面には、複数の第１の維持電極２３及び第２の維持電極２４が図示しない放電ギャップを隔てて互いに平行に配置されている。各第１の維持電極２３及び第２の維持電極２４により維持電極対が構成され、維持パルスが印加されて維持放電が発生する。第１の維持電極２３の配線端子は表示パネル２１の左側から取り出され、第２の維持電極２４の配線端子が同表示パネル２１の右側から取り出されている。このようにする理由は、第１の維持電極２３及び第２の維持電極２４の配線端子を表示パネル２１の同一側から取り出すと、取り出していない反対側の終端の単位セルが維持ドライバ３３及び維持ドライバ３４のいずれからも最も長い距離にあり、維持パルスの電圧の降下が大きくなるため、単位セルの位置によって表示輝度にむらが発生することによる。また、前面基板の背面基板に対向する面には、上記各維持電極対に図示しない放電ギャップを隔てて平行に複数の走査電極２２が配置され、同走査電極２２には、書込み放電を行うための走査パルスが順次印加される。背面基板の前面基板に対向する面には、上記各維持電極対と交わる態様で複数のデータ電極２５が設けられ、同データ電極２５には、データパルス及び消去データパルスが印加される。上記維持電極対とデータ電極２５との各交差領域には、単位セル２６が形成されている。
【００５８】
データドライバ３１は、表示データｚに対応したデータパルス及び消去データパルスをデータ電極２５に印加する。走査ドライバ３２は、走査パルス及び消去パルスを走査電極２２に印加する。維持ドライバ３３，３４は、維持パルスを、それぞれ第１の維持電極２３及び第２の維持電極２４に印加する。高圧電源回路３５は、所定の高圧電源を、データドライバ３１、走査ドライバ３２、及び維持ドライバ３３，３４へ供給する。Ａ／Ｄ変換回路４１は、アナログの映像信号ｉｎをデジタルの映像信号ｄに変換する。画素変換回路４２は、映像信号ｄの画素数を、実際に表示させる画素数である表示パネル（ＰＤＰ）２１の画素数に変換して映像信号ｗを生成する。サブフィールド変換回路４３は、画素変換回路４２からの映像信号ｗをサブフィールド毎の表示データｚに変換し、データドライバ３１へ送出する。コントローラ４４は、データドライバ３１、走査ドライバ３２、維持ドライバ３３，３４の動作タイミングを制御し、高圧電源回路３５で生成された電圧の入力を制御する。特に、この実施例では、コントローラ４４は、走査パルスを維持パルスと同一のタイミングで印加する走査維持同時駆動を各サブフィールド毎に行う。タイミング信号（水平同期信号、垂直同期信号）Ｈ，Ｖは、上記Ａ／Ｄ変換回路４１、画素変換回路４２、サブフィールド変換回路４３、及びコントローラ４４に入力され、これらの動作と表示画面との同期を取る。
【００５９】
図２は、図１中のＰＤＰ２１の構成図である。
このＰＤＰ２１では、同図２に示すように、走査電極２２はＳｃａｎｉ（ｉ＝１，２，…，ｍ）、第１の維持電極２３はＳｕｓ１、第２の維持電極２４はＳｕｓ２、及びデータ電極２５がＤ１，Ｄ２，…，Ｄｎから構成されている。
【００６０】
図３は、図２中の単位セル２６の拡大平面図である。
この単位セル２６では、同図３に示すように、走査電極２２、第１の維持電極２３、及び第２の維持電極２４が隔壁５１の上側に配置され、データ電極２５が同隔壁５１の下側に配置されている。
【００６１】
図４は、図３に示す単位セル２６のＡ−Ａ線断面図である。
この単位セル２６では、同図４に示すように、前面基板６１と背面基板６２とが所定の間隔をもって対向して配置されている。前面基板６１はガラス基板などで構成され、同前面基板６１上に、走査電極２２及び第２の維持電極２４が書込み面放電ギャップ６３を隔てて配置され、同第２の維持電極２４及び第１の維持電極２３が維持放電ギャップ６４を隔てて配置されている。これらの電極上には、同各電極を覆うように透明誘電体層６５が形成され、同透明誘電体層６５上に保護層６６が形成されている。保護層６６は、ＭｇＯなどで構成され、透明誘電体層６５を放電から保護する。維持電極対となる第１の維持電極２３及び第２の維持電極２４は、維持放電を発生させて表示のための光を取り出さなくてはならないので、ＩＴＯ（Indium Tin Oxide  、透明導電薄膜）などの透明電極で構成されている。走査電極２２は、書込み、消去及び初期化のための放電を行い、表示のための放電は行わないため、透明電極である必要はない。むしろ、表示とは関係ない初期化のための放電などは、黒の表示輝度を上昇させるため、コントラストの低下を招き、好ましくないため、走査電極２２を金属電極などで構成して遮光する方がよい。また、走査電極２２を金属電極で構成することにより、電極抵抗も低く抑えられ、放電電流による電圧降下が小さくなる。一方、背面基板６２はガラス基板などで構成され、同背面基板６２上にデータ電極２５が走査電極２２及び維持電極２３，２４と直交するように設けられている。さらに、データ電極２５を覆うように白色誘電体層６７が設けられ、同白色誘電体層６７上に蛍光体層６８が設けられている。前面基板６１と背面基板６２との間には、各セルを囲うように井桁状の隔壁５１が形成されている。隔壁５１は、放電空間６９を確保すると共に画素を区切る役割を果たす。放電空間６９内には、Ｈｅ、Ｎｅ、Ｘｅなどの混合ガスが放電ガスとして封入されている。
【００６２】
図５は、１フィールドＴＦの構成を示す図、図６は、図５中の１つのサブフィールドにおける駆動波形の１部を示す図、及び図７が、単位セル２６内の壁電圧配置を示す図である。
これらの図を参照して、この例のプラズマ表示装置に用いられる駆動方法の処理内容について説明する。
この例の駆動方法では、走査パルスが維持パルスと同じタイミングで印加され、図５に示すように、１フィールドＴＦが、たとえば６つのサブフィールド１ＳＦ，２ＳＦ，…，６ＳＦに分割され、１サブフィールドは、初期化、走査、及び維持の３種類のパルスから構成され、走査電極２２毎に順次サブフィールドがずれていく形でパルスが印加される。各サブフィールドの境界の斜線は、各走査電極２２（Ｓｃａｎｉ、ｉ＝１，２，…，ｍ）に線順次に印加される走査パルスのタイミングを表す。また、サブフィールド１ＳＦ，２ＳＦ，…，６ＳＦの時間幅は、１：２：４：８：１６：３２の比に設定され、これらの時間における発光を組み合わせることにより、６４段階（０〜６３）の階調の画面が表示される。たとえば、２９階調の画面が表示される場合、１フィールドＴＦの期間において、サブフィールド１ＳＦ（階調；１）、サブフィールド３ＳＦ（階調；４）、サブフィールド４ＳＦ（階調；８）、及びサブフィールド５ＳＦ（階調；１６）が発光するように制御される。また、図６に示すように、１つのサブフィールドにおいて、第１の維持電極２３には波形Ｓｕｓ１に示す電圧が印加され、第２の維持電極２４には波形Ｓｕｓ２に示す電圧が印加される。また、走査電極２２には、波形Ｓｃａｎ１，Ｓｃａｎ２に示す電圧が順次印加される。同図６では、走査電極２２のうちの２電極分に対応する波形が表示されているが、３ライン目以降も、消去パルスｐ及び走査パルスａが順次ずれていく態様で印加される。また、データ電極２５には、波形Ｄａｔａに示す電圧が印加される。
【００６３】
図７の壁電圧配置図（１）乃至（７）では、図６中のタイミング（１）乃至（７）における波形Ｓｃａｎ１の電圧が印加された単位セル２６の壁電圧がそれぞれ示されている。すなわち、図６に示すように、１つのサブフィールドは、初期化パルスとなる消去パルスｐの印加から始まる。図７（１）では、当該サブフィールドの前サブフィールドにおける最終の維持放電が示されている。この維持放電は、第１の維持電極２３と第２の維持電極２４との間で行われ、最終の維持パルスにより、第１の維持電極２３には正の壁電荷、及び第２の維持電極２４には負の壁電荷がそれぞれ形成され、第１の維持電極２３に正極性の維持パルスｆが印加されると、両電極間で面放電が発生する。これにより、第１の維持電極２３及び第２の維持電極２４の壁電圧の極性が反転し、壁電圧が図７（２）に示す状態となる。
【００６４】
次に、図６中のタイミング（２）で、第２の維持電極２４に維持パルスｆが印加され、走査電極２２に消去パルスｐが印加され、また、データ電極２５に消去データパルスｑが印加される。これらの消去パルスｐ及び消去データパルスｑは、初期化パルスに相当し、前サブフィールドで維持放電が発生した場合に壁電荷をリセットすると共に、放電によるプライミング効果により書込みが行われやすくする働きがある。消去パルスｐが印加される前は、走査電極２２には正電位の走査ベース電圧Ｖｂｗが印加され、かつデータ電極２５がＧＮＤ電位となっているので、維持放電で発生した空間電荷の正電荷がデータ電極２５上に引き寄せられ、また、負電荷が走査電極２２上に引き寄せられて壁電荷となる。このため、走査電極２２に消去パルスｐが印加されて同走査電極２２の電位がＧＮＤになり、データ電極２５の電位が電位Ｖｄになることにより、走査電極２２とデータ電極２５との間で対向の消去予備放電が発生する。
【００６５】
これにより、図７（３）に示すように、走査電極２２上の壁電荷が正極性となる。また、このとき、走査電極２２の隣の第２の維持電極２４は、維持パルスｆが印加されて正電位となっているため、図７（２）に示す対向放電で発生した空間電荷が第２の維持電極２４に引き寄せられて負の壁電圧が形成され、図７（３）に示す壁電圧配置となる。この後、図６中のタイミング（３）で、第２の維持電極２４に印加されている維持パルスｆが終了すると共に、消去パルスｐも終了し、走査電極２２の電位が走査ベース電圧Ｖｂｗに戻る。これにより、走査電極２２上に形成された正壁電圧、及び第２の維持電極２４上に形成された負壁電圧により、図７中の（３）に示すように、両電極間で面の消去放電が発生する。
【００６６】
ここで、第１の維持電極２３、第２の維持電極２４、及びデータ電極２５は、ＧＮＤ電位であり、走査電極２２は正電位であるため、図７（４）に示すように、走査電極２２上には負壁電圧が形成され、その他の電極上には正の壁電圧が形成される。これで初期化が終了し、書込みができる状態になる。
【００６７】
ここまでは、上記のように、前サブフィールドで維持放電が発生した場合の状態であるが、前サブフィールドで維持放電が発生していない場合は、走査電極２２に消去パルスｐが印加された際に、データ電極２５に消去データパルスｑが印加されない。前サブフィールドで維持放電が発生していない場合は、前サブフィールドの書込み直前の壁電圧配置である図７（４）に示す配置がそのまま保持される。この壁電圧の状態では、消去データパルスｑが印加されないと、消去予備放電は発生しない。また、消去予備放電が発生しないと、走査電極２２上及び第２の維持電極２４上の壁電荷が反転しないため、その次の消去放電も発生しない。このようにして、前サブフィールドの図７（４）に示す壁電圧配置がそのまま持続され、前サブフィールドで維持放電が発生した場合と同じ壁電圧配置となる。
【００６８】
次に、表示データを書き込むための書込み動作に入る。すなわち、図６中のタイミング（４）で、走査電極２２に走査パルスａが印加される。走査電極２２上には負壁電荷、データ電極２５上には正壁電荷が形成されているため、このとき、正電位のデータパルスｅがデータ電極２５に印加されると、走査電極２２とデータ電極２５との間で書込み放電が発生する。このとき、同時に第２の維持電極２４には維持パルスｆが印加され、走査電極２２と第２の維持電極２４との間には電圧Ｖｓが掛かり、書込み放電で発生した空間電荷が第２の維持電極２４に引き寄せられ、第２の維持電極２４上には、図７（５）に示すように、負の壁電圧が形成される。この状態で書込み動作が終了する。この後、走査電極２２に走査パルスａが印加されたままの状態で、第２の維持電極２４に印加されている維持パルスｆが終了し、代わって第１の維持電極２３に維持パルスｆが印加される。これにより、第２の維持電極２４に形成された負壁電荷により、図７（５）に示すように、第１の維持電極２３と第２の維持電極２４との間で最初の維持放電が発生する。
【００６９】
この直後、維持放電が完全に終了しないうちに、図６中のタイミング（６）で走査パルスａが終了し、走査電極２２の電位は走査ベース電圧Ｖｂｗまで引き上げられる。この場合、図６中のタイミング（５）とタイミング（６）との時間差は、約０．５μsec から１．５μsec 程度である。この維持放電が継続している間に走査電極２２の電位が引き上げられることにより、図７（６）に示すように、同維持放電で発生した負極性の空間電荷が走査電極２２上に引き寄せられ、負壁電圧が形成される。これにより、図７（７）に示す壁電圧配置となる。これ以降は、維持パルスｆの印加される電極が入れ替わる毎に表示の発光を行う維持放電が発生し、図７（７）又は図７（８）に示す壁電圧配置が交互に形成される。一方、走査パルスａが印加された際にデータパルスｅが印加されない場合は、書込み放電は発生せず、壁電圧配置は図７（４）に示す状態のままとなる。したがって、第１の維持電極２３及び第２の維持電極２４には、ほぼ同等の壁電圧が形成されたままであるので、以降、維持パルスｆが印加されても、維持放電は発生しない。このようにして、書込み放電の有無により維持放電の発生が制御される。
【００７０】
以上のように、この第１の実施例では、維持放電を発生させる維持電極対（維持電極２３，２４）の他に走査電極２２が別に設けられ、走査パルスａを維持パルスｆと同一のタイミングで印加する走査維持同時駆動が各サブフィールド毎に行われ、かつ、走査パルスａが走査電極２２に印加されるとき、同走査電極２２上にある透明誘電体層６５上に形成されている壁電荷により発生する壁電圧が、維持電極対上にある同透明誘電体層６５上に形成されている壁電荷により発生する壁電圧よりも負電圧方向に大きく設定されるので、表示輝度レベルが向上すると共に、電源回路の規模を大きくする必要がなく、かつ広い駆動マージンが得られる。
【００７１】
実施例１では、消去データパルスｑは、前サブフィールドで維持放電が行われた場合のみにデータ電極２５に印加された。このため、黒表示により維持放電が長時間発生しない場合、放電空間６９に空間電荷が存在せず、書込みが確実に行われないことがあるという問題点がある。このため、次の実施例２では、この問題点を改善する。
【実施例２】
【００７２】
この実施例２では、消去データパルスｑは、消去パルスｐが走査電極２２に印加されるとき、データ電極２５に必ず印加される。これにより、前サブフィールドの放電状態に無関係に、サブフィールド毎に消去予備放電及び消去放電が発生する。このため、黒表示により維持放電が長時間発生しない場合でも、初期化のための放電だけは発生することになり、壁電荷の状態を常に一定に保つことができると共に、プライミング効果が得られ、放電空間６９には、常にある程度の空間電荷を存在させることができ、長時間の黒表示の後でも、確実に書込みが行われる。
【００７３】
実施例２では、サブフィールド毎に消去データパルスｑが印加されて消去予備放電及び消去放電が発生するため、壁電荷の状態によっては、黒レベルの輝度が十分に低減しないことがあるという問題点がある。このため、次の実施例３では、この問題点を改善する。
【実施例３】
【００７４】
この実施例３では、あるサブフィールドのみで消去データパルスｑがデータ電極２５に印加される。たとえば、１サブフィールド目だけには、前サブフィールドの維持放電の発生に関係なく消去データパルスｑが印加される。これにより、１フィールド中で黒表示時に放電が発生する回数は、１サブフィールド目の消去予備放電及び消去放電のみになり、実施例２のように、サブフィールド毎に消去予備放電及び消去放電が発生する場合に比べ、黒レベルの輝度が十分に低減される。
【実施例４】
【００７５】
図８は、この発明の第４の実施例であるプラズマ表示装置の電気的構成を示すブロック図であり、第１の実施例を示す図１中の要素と共通の要素には共通の符号が付されている。
この例のプラズマ表示装置では、図１中の走査ドライバ３２、高圧電源回路３５及びコントローラ４４に代えて、異なる構成の走査ドライバ３２Ａ、高圧電源回路３５Ａ及びコントローラ４４Ａが設けられ、さらに、プライミング波形発生回路３６が付加されている。高圧電源回路３５Ａは、高圧電源回路３５の機能に加え、所定の高圧電源をプライミング波形発生回路３６へ供給する。プライミング波形発生回路３６は、高圧電源回路３５から供給される高圧電源を用いて、プライミング期間に走査電極２２に印加するランプ波形を生成する。走査ドライバ３２Ａは、走査ドライバ３２の機能に加え、プライミング波形発生回路３６で生成されたランプ波形を走査電極２２に印加する。コントローラ４４Ａは、コントローラ４４の機能に加え、プライミング波形発生回路３６の動作タイミングを制御する。他は、図１と同様の構成である。
【００７６】
図９は、１フィールドＴＦの構成を示す図、図１０は、図９中のプライミング期間Ｐの部分と最初の１サブフィールド目（１ＳＦ）の書込みの部分における駆動波形を示す図、及び図１１が、単位セル２６内の壁電圧配置を示す図である。
これらの図を参照して、この例のプラズマ表示装置に用いられる駆動方法の処理内容について説明する。
図９に示すように、１フィールドＴＦは、たとえば６つのサブフィールド１ＳＦ，２ＳＦ，…，６ＳＦに分割され、また、先頭にプライミング期間Ｐが設けられている。そして、図１０に示すように、このプライミング期間Ｐに全ての走査ライン２２に一斉にランプ波形の電圧を含む駆動電圧が印加される。この後、走査電極２２の１番目からｍ番目まで、線順次に走査パルスａが印加されていく。各サブフィールドの境界の斜線は、各走査電極２２（Ｓｃａｎｉ、ｉ＝１，２，…，ｍ）に線順次に印加される走査パルスのタイミングを表す。また、線順次で走査パルスａが印加されるため、図９に示すように、駆動動作が行われないブランク期間Ｂが存在する。このときの各電極の電位は、走査電極２２がＶｂｗ、第１の維持電極２３及び第２の維持電極２４がＧＮＤ電位となっている。その後のサブフィールド１ＳＦ乃至６ＳＦは、実施例１と同様に構成され、最後に、再びブランク期間Ｂが設けられている。このブランク期間Ｂでも、プライミング期間Ｐの後のブランク期間Ｂと同様の電位が各電極に印加され、駆動動作が行われずに、壁電荷がそのまま保持される。
【００７７】
また、図１０に示すように、第１の維持電極２３には波形Ｓｕｓ１に示す電圧が印加され、第２の維持電極２４には波形Ｓｕｓ２に示す電圧が印加される。走査電極２２には、波形Ｓｃａｎ１，Ｓｃａｎ２に示す電圧が順次印加される。同図１０では、走査電極２２の２ライン分に対応する波形が表示されているが、３ライン目以降も、走査パルスａが順次ずれていく態様で印加される。また、データ電極２５には、波形Ｄａｔａに示す電圧が印加される。
【００７８】
図１１の壁電圧配置図（１）乃至（７）では、図１０中のタイミング（１）乃至（７）における波形Ｓｃａｎ１の電圧が印加された単位セル２６の壁電圧がそれぞれ示されている。すなわち、プライミング期間Ｐの前は、図示しない前フィールドの６サブフィールド目であり、同６サブフィールド目が終了した時点で維持放電が発生していた場合は消去動作が行われ、実施例１と同様に、図７（４）に示す壁電圧配置となる。一方、維持放電が発生していない場合も、６サブフィールド目の書込みの時点で図７（４）に示す壁電圧配置となっている。したがって、プライミング期間Ｐの先頭のタイミングである図１０中のタイミング（１）では、全ての単位セルが図１１（１）に示す壁電圧配置となる。
【００７９】
次に、単位セル２６内を活性化させるプライミング期間Ｐに入ると、走査電極２２にランプ波形の電圧が印加される。すなわち、第１のプライミング波形の電圧ｕが走査電極２２に印加され、同走査電極２２の電位が徐々に上昇する。走査電極２２には負壁電荷が形成され、隣接する第２の維持電極２４には正壁電荷が形成されているが、それによる壁電圧を含めても、放電開始電圧以上の電位差がセルの放電空間に印加されると、両電極間で弱放電が発生する。弱放電が発生すると、書込み面放電ギャップ６３近傍の壁電荷が増大する方向に壁電圧が変化する。このとき、放電空間に掛かる電圧は、面放電開始電圧と共に、走査電極２２とデータ電極２５との間の対向放電開始電圧も超えることから、対向の弱放電も発生する。したがって、図１０中のタイミング（２）では、壁電圧配置は、図１１（２）に示すように、走査電極２２上の壁電圧は電極面全面で負電圧が増加し、第２の維持電極２４上の壁電圧は、書込み面放電ギャップ６３近傍のみの正電圧が増加する。
【００８０】
次に、第２のプライミング波形の電圧ｖが走査電極２２に印加されると、同走査電極２２の電位が徐々に低下する。このとき、隣接する第２の維持電極２４の電位は電位Ｖｓまで引き上げられ、第１のプライミング波形ｕが印加されたときの弱放電とは逆極性の弱放電が発生する。これにより、図１０中のタイミング（３）では、壁電圧配置はプライミング期間Ｐの先頭の状態に戻り、図１１（３）に示す状態になる。これでプライミング期間Ｐが終了する。プライミング期間Ｐの前後では、壁電圧の単位セル２６内の状態は、図１１（１）及び（３）に示すように、変化しないが、弱放電を単位セル２６内で発生させることにより、空間電荷を発生させ、同単位セル２６内を活性化させている。これにより、黒表示を長時間表示させたときのように、単位セル２６内で長く維持放電が発生しなかった場合でも、次の書込み放電を発生しやすくしている。
【００８１】
次に、表示データを書き込むための書込み動作に入る。すなわち、図１０中のタイミング（３）で走査電極２２に走査パルスａが印加される。走査電極２２上には負壁電荷が形成され、データ電極２５上には正壁電荷が形成されているため、このとき、正電位のデータパルスｅがデータ電極２５に印加されると、走査電極２２とデータ電極２５との間で書込み放電が発生する。このとき、同時に第２の維持電極２４には維持パルスｆが印加され、走査電極２２と第２の維持電極２４との間には電圧Ｖｓが掛かり、書込み放電で発生した空間電荷が引き寄せられ、第２の維持電極２４上には、図１１（４）に示すように、負の壁電圧が形成される。この状態で書込み動作が終了する。この後、走査電極２２に走査パルスａが印加されたままの状態で、第２の維持電極２４に印加された維持パルスｆが終了し、代わって第１の維持電極２３に維持パルスｆが印加される。これにより、第２の維持電極２４に形成された負壁電荷により、図１１（４）に示すように、第１の維持電極２３と第２の維持電極２４との間で最初の維持放電が発生する。
【００８２】
この直後、維持放電が完全に終了しないうちに、図１０中のタイミング（５）で走査パルスａが終了し、走査電極２２の電位がＶｂｗまで引き上げられる。図１０中のタイミング（４）とタイミング（５）との時間差は、約０．５μsec から１．５μsec 程度である。維持放電が継続している間に走査電極２２の電位を引き上げることにより、図１１（５）に示すように、維持放電で発生した負極性の空間電荷が走査電極２２上に引き寄せられ、負壁電圧が形成される。これにより、図１１（６）に示す壁電圧配置となる。これ以降は、維持パルスｆの印加される電極が入れ替わる毎に表示の発光を行う維持放電が発生し、図１１（６）又は図１１（７）に示す壁電圧配置が交互に形成される。
【００８３】
一方、走査パルスａが印加された際にデータパルスｅが印加されない場合は、書込み放電は発生せず、壁電圧配置は図１１（３）に示す状態のままとなる。したがって、第１の維持電極２３及び第２の維持電極２４には、ほぼ同等の壁電圧が形成されたままであるので、以降、維持パルスｆが印加されても、維持放電は発生しない。このようにして、書込み放電の有無により、維持放電の発生を制御することができる。
【００８４】
以上のように、この第４の実施例では、プライミング期間Ｐに全ての走査ライン２２に一斉にランプ波形の電圧を含む駆動電圧が印加されるので、第１の実施例の利点に加え、単位セル２６内で長く維持放電が発生しなかった場合でも、次の書込み放電が発生しやすくなる。
【００８５】
上記各実施例で説明した走査維持同時駆動方式では、維持放電を発生させている維持パルスｆが維持電極対に印加されている間にも、データ電極２５にデータパルスｅや消去データパルスｑが印加される。維持放電は、第１の維持電極２３と第２の維持電極２４との維持電極対の間で発生する。このため、両電極間の電位差により、維持放電の強さや広がり方が決まることになる。ところが、上記各実施例の図３に示す単位セル２６のように、維持電極対とデータ電極２５とが放電空間６９を挟んで対向する構造では、維持放電の強さや広がり方に対して、両電極間の電位差だけではなく、データ電極２５と維持電極対との間の電位差も影響を与えることが分かっている。この場合、維持パルスｆが印加されて維持放電が発生しているとき、他の走査ラインの書込みや消去のためのデータパルスｅや消去データパルスｑが印加されてデータ電極２５の電位が変化すると、維持放電の状態に影響を与える。このため、発光輝度が変化し、表示画面内で輝度むらが発生することがあるという問題点がある。このため、次の実施例５では、この問題点を改善する。
【実施例５】
【００８６】
図１２は、この発明の第５の実施例であるＰＤＰの単位セルの構成図であり、図３中の要素と共通の要素には共通の符号が付されている。また、図１３は、図１２のＡ−Ａ線断面図である。
この例のＰＤＰの単位セルでは、図１２に示すように、図３中のデータ電極２５に代えて、異なる形状のデータ電極２５Ａが設けられている。データ電極２５Ａは、図１３に示すように、放電空間６９を挟んで走査電極２２と対向し、かつ第１の維持電極２３及び第２の維持電極２４と対向しないように、縦方向の隔壁５１上に隠れるように配置されている。これにより、維持放電の強さや広がり方がデータ電極２５Ａの電位の変動の影響をほとんど受けないため、発光輝度が変化せず、表示画面内で輝度むらが発生しない。
【００８７】
以上、この発明の実施例を図面により詳述してきたが、具体的な構成は同実施例に限られるものではなく、この発明の要旨を逸脱しない範囲の設計の変更などがあっても、この発明に含まれる。
たとえば、図５又は図９に示すサブフィールドの数は、６つに設定されているが、たとえば８つのサブフィールドなど、必要な階調数に応じて任意の数に設定して良い。たとえば、８つのサブフィールドを設定した場合、各サブフィールドの時間幅が１：２：４：８：１６：３２：６４：１２８の比に設定され、２５６段階（０〜２５５）の階調の画面が表示される。また、図４中の走査電極２２及び書込み面放電ギャップ６３のパネル表示画面側に図示しない遮光層を設けても良い。これにより、表示とは関係のない初期化のための放電による光が遮光される。
【産業上の利用可能性】
【００８８】
この発明は、走査維持分離駆動方式の装置よりも表示輝度レベルを高くすることが要求されているプラズマ表示装置全般に適用できる。
【図面の簡単な説明】
【００８９】
【図１】この発明の第１の実施例であるプラズマ表示装置の電気的構成を示すブロック図である。
【図２】図１中のＰＤＰ２１の構成図である。
【図３】図２中の単位セル２６の拡大平面図である。
【図４】図３の単位セル２６のＡ−Ａ線断面図である。
【図５】１フィールドＴＦの構成を示す図である。
【図６】図５中の１つのサブフィールドにおける駆動波形の一部を示す図である。
【図７】単位セル２６内の壁電圧配置を示す図である。
【図８】この発明の第４の実施例であるプラズマ表示装置の電気的構成を示すブロック図である。
【図９】１フィールドＴＦの構成を示す図である。
【図１０】図９中のプライミング期間Ｐの部分と最初の１サブフィールド目（１ＳＦ）の書込みの部分における駆動波形を示す図である。
【図１１】単位セル２６内の壁電圧配置を示す図である。
【図１２】この発明の第５の実施例であるＰＤＰの構成図である。
【図１３】図１２のＡ−Ａ線断面図である。
【図１４】従来のプラズマ表示装置の構成図である。
【図１５】図１４中の単位セル５のＡ−Ａ線断面図である。
【図１６】図１４のプラズマ表示装置に用いられる走査維持分離駆動方式による階調表示方法の原理を説明する図である。
【図１７】従来の走査維持分離駆動方式に用いられる駆動波形の要部を示す図である。
【図１８】単位セル５内の各電極上の壁電圧の配置を示す模式図である。
【図１９】１フィールドの構成を示す図である。
【図２０】走査維持同時駆動方式に用いられる駆動波形の要部を示す図である。
【図２１】走査維持同時駆動方式による各電極上の壁電圧の大きさを示す模式図である。
【図２２】他の走査維持同時駆動方式に用いられる駆動波形の要部を示す図である。
【図２３】図２１の走査維持同時駆動方式による各電極上の壁電圧の大きさを示す模式図である。
【符号の説明】
【００９０】
２１      表示パネル（ＰＤＰ、プラズマディスプレイパネル）
２２      走査電極
２３      第１の維持電極
２４      第２の維持電極
２５，２５Ａ      データ電極
２６      単位セル
３１      データドライバ（駆動手段の一部）
３２，３２Ａ      走査ドライバ（駆動手段の一部）
３３，３４      維持ドライバ（駆動手段の一部）
３５，３５Ａ      高圧電源回路（駆動手段の一部）
３６      プライミング波形発生回路（駆動手段の一部）
４１      Ａ／Ｄ（アナログ／ディジタル）変換回路（駆動手段の一部）
４２      画素変換回路（駆動手段の一部）
４３      サブフィールド変換回路（駆動手段の一部）
４４，４４Ａ      コントローラ（駆動手段の一部）
５１      隔壁（ＰＤＰの一部）
６１      前面基板（第１の基板）
６２      背面基板（第２の基板）
６３      面放電ギャップ（第２の放電ギャップ）
６４      維持放電ギャップ（第１の放電ギャップ）
６５      透明誘電体層（第１の誘電体層）
６６      保護層（ＰＤＰの一部）
６７      白色誘電体層（第２の誘電体層）
６８      蛍光体層（ＰＤＰの一部）
６９      放電空間（ＰＤＰの一部）
【図１】
2005352052.tif 000003
【図２】
2005352052.tif 000004
【図３】
2005352052.tif 000005
【図４】
2005352052.tif 000006
【図５】
2005352052.tif 000007
【図６】
2005352052.tif 000008
【図７】
2005352052.tif 000009
【図８】
2005352052.tif 000010
【図９】
2005352052.tif 000011
【図１０】
2005352052.tif 000012
【図１１】
2005352052.tif 000013
【図１２】
2005352052.tif 000014
【図１３】
2005352052.tif 000015
【図１４】
2005352052.tif 000016
【図１５】
2005352052.tif 000017
【図１６】
2005352052.tif 000018
【図１７】
2005352052.tif 000019
【図１８】
2005352052.tif 000020
【図１９】
2005352052.tif 000021
【図２０】
2005352052.tif 000022
【図２１】
2005352052.tif 000023
【図２２】
2005352052.tif 000024
【図２３】
2005352052.tif 000025